(57)【要約】      （修正有）【課題】通信設備の新設や増設を必要とせずに、各店舗の業種に応じて適切な雰囲気を作り出すことが可能なデジタル音楽データを提供する。【解決手段】ストリーム配信されるデジタル音楽データを受信する受信手段１２と、可搬型記録媒体２０ａ〜２０ｅを接続可能な少なくとも１つの出力ポート１１ａ〜１１ｆと、デジタル音楽データに含まれる楽曲ＩＤデータを取得する楽曲ＩＤ取得手段１３と、出力ポート１１ａ〜１１ｆに接続された可搬型記録媒体２０ａ〜２０ｅの楽曲選定種別を識別する接続記録媒体識別手段１４と、楽曲選定データテーブル１６を参照し、受信したデジタル音楽データの楽曲ＩＤに対応する楽曲選定種別の可搬型記録媒体２０ａ〜２０ｅが接続されている出力ポート１１ａ〜１１ｆがある場合には、当該出力ポート１１ａ〜１１ｆに対してデジタル音楽データを出力する出力制御手段１５と、を備える。【選択図】図１
2012032675.tif 000002
【特許請求の範囲】
【請求項１】
ストリーム配信されるデジタル音楽データを受信し、当該デジタル音楽データを所定の楽曲選定条件に従い可搬型記録媒体に記録させるための配信デジタル音楽データ記録システムであって、
ストリーム配信されるデジタル音楽データを受信する受信手段と、
可搬型記録媒体を接続可能な少なくとも１つの出力ポートと、
前記デジタル音楽データに含まれる楽曲ＩＤデータを取得する楽曲ＩＤ取得手段と、
任意の出力ポートに接続された可搬型記録媒体の楽曲選定種別を識別する接続記録媒体識別手段と、
楽曲選定種別と楽曲ＩＤとが紐付けされた所定の楽曲選定データテーブルを参照し、前記受信したデジタル音楽データの楽曲ＩＤに対応する楽曲選定種別の可搬型記録媒体が接続されている出力ポートがある場合には、当該出力ポートに対して前記デジタル音楽データを出力する出力制御手段と、
を備えたことを特徴とする配信デジタル音楽データ記録システム。
【発明の詳細な説明】
【技術分野】
【０００１】
本発明は、ストリーム配信されるデジタル音楽データを記録するためのシステムに関するものであり、例えば、種々の業種が入店しているテナントビルにおいて、各業種に好適に対応したデジタル音楽データを選択的に記録することが可能な配信デジタル音楽データ記録システムに関するものである。
【背景技術】
【０００２】
従来、各種の店舗、オフィス、クリニック等に設置された再生端末を利用して、ＢＧＭ（ｂａｃｋｇｒｏｕｎｄ  ｍｕｓｉｃ）やＢＧＶ（ｂａｃｋｇｒｏｕｎｄ  ｖｉｄｅｏ）を提供するサービスが普及している。このようなサービスでは、例えば、配信するデジタル音楽データを、クラシック、ジャズ、演歌、ＪＰＯＰ等のジャンルに分類し、複数のチャンネルにそれぞれジャンル別のＢＧＭデータやＢＧＶデータを割り当てて、有線放送、衛星放送、地上放送等により配信するようになっている。そして、再生装置が設置された店舗等では、それぞれ好みのジャンルに該当するチャンネルを選択して、当該チャンネルに割り当てられた音楽や映像をＢＧＭやＢＧＶとして再生していた。
【０００３】
また、ユーザーが受信を所望する音楽放送データを予約して、サーバにおいて予約された音楽放送データを記録しておき、ユーザーは任意の時刻に記録された音楽放送データを視聴することができる技術が開示されている（例えば、特許文献１参照）。
【先行技術文献】
【特許文献】
【０００４】
【特許文献１】特開２０００−２８７１９３号公報
【発明の概要】
【発明が解決しようとする課題】
【０００５】
しかし、予めジャンルが設定されたチャンネルを選択することにより、当該チャンネルに割り当てられたジャンルの音楽や映像をＢＧＭやＢＧＶとして再生する技術では、おおまかには各店舗等の雰囲気に合った音楽を再生することができるが、元々、ジャンル別の分類は個々の業種に対応したものではないため、各店舗の雰囲気にそぐわない楽曲が含まれている場合もあった。すなわち、各業種ではそれぞれ好適なジャンルの音楽や映像があり、例えば、アパレル店では活気のある楽曲、クリニックでは患者の気持ちを鎮める楽曲、美容院では爽やかな印象を与える楽曲等が好まれる傾向にある。しかし、従来のチャンネル別のジャンル設定では、クラシック、ジャズ、演歌、ＪＰＯＰ等のジャンルにより配信する楽曲及び背景映像を区分しており、必ずしも各チャンネルに設定されたジャンルが各店舗の雰囲気に合致しているとは言えなかった。
【０００６】
また、ユーザーが受信を所望する音楽放送データを予約してサーバに記録させるようにした技術では、ユーザー側で一々予約操作を行わなければならず、ユーザーの手間が増大するという問題があった。
【０００７】
また、テナントビルにおいて各店舗にそれぞれデジタル音楽データの受信設備を設置したのでは、各店舗まで受信ケーブルを敷設しなければならない等、設備費用が嵩むことになる。このため、共通のデジタル音楽データの受信設備を設置し、各店舗の雰囲気に合致するようにデジタル音楽データを選択して可搬型記録媒体に記録し、この可搬型記録媒体を各店舗に設置された再生装置に装着して、デジタル音楽データの再生を行うことも考えられる。しかし、この場合にも、マニュアル操作により、受信したデジタル音楽データを各店舗の雰囲気に合致するように分類して抽出しなければならず、効率が悪く現実的ではない。
【０００８】
さらに、業種に応じて楽曲を抽出するためのインデックスデータをデジタル音楽データに組み込むことも考えられるが、これではデジタル音楽データの作成に手間がかかる。また、各デジタル音楽データを異なる業種に適用することができなくなり、汎用性に欠けることになる。
【０００９】
本発明は、上述した事情に鑑み提案されたもので、通信設備の新設や増設を必要とせずに、各店舗の業種に応じて適切な雰囲気を作り出すことが可能なデジタル音楽データを抽出して提供するシステムを構築することを目的とする。
【課題を解決するための手段】
【００１０】
本発明の配信デジタル音楽データ記録システムは、上述した目的を達成するため、以下の特徴点を備えている。すなわち、本発明の配信デジタル音楽データ記録システムは、ストリーム配信されるデジタル音楽データを受信し、当該デジタル音楽データを所定の楽曲選定条件に従い可搬型記録媒体に記録させるためのシステムであって、ストリーム配信されるデジタル音楽データを受信する受信手段と、可搬型記録媒体を接続可能な少なくとも１つの出力ポートと、デジタル音楽データに含まれる楽曲ＩＤデータを取得する楽曲ＩＤ取得手段と、任意の出力ポートに接続された可搬型記録媒体の楽曲選定種別を識別する接続記録媒体識別手段と、楽曲選定種別と楽曲ＩＤとが紐付けされた所定の楽曲選定データテーブルを参照し、受信したデジタル音楽データの楽曲ＩＤに対応する楽曲選定種別の可搬型記録媒体が接続されている出力ポートがある場合には、当該出力ポートに対してデジタル音楽データを出力する出力制御手段と、を備えたことを特徴とするものである。
【００１１】
このような構成からなる配信デジタル音楽データ記録システムでは、例えば、有線放送や無線放送によりデジタル音楽データがストリーム配信され、受信したデジタル音楽データを可搬型記録媒体に記録する。そして、各店舗にそれぞれ設置された再生装置に可搬型記録媒体を接続することにより、デジタル音楽データを再生するようになっている。
【００１２】
本発明では、テナントビルの管理室等にデジタル放送受信機を設置して、各店舗で使用するデジタル音楽データを一括して受信する。また、デジタル放送受信機は少なくとも１つの出力ポートを有しており、この出力ポートに接続された可搬型記録媒体にデジタル音楽データを記録することができる。また、可搬型記録媒体には、記録する音楽データの種別を選定するための楽曲選定種別データが記録されており、出力ポートに可搬型記録媒体が接続されると、接続記録媒体識別手段の機能により、当該可搬型記録媒体の楽曲選定種別が識別される。
【００１３】
そして、受信手段によりストリーム配信されるデジタル音楽データを受信し、このデジタル音楽データに含まれる楽曲ＩＤを楽曲ＩＤ取得手段により取得する。また、デジタル放送受信機は、楽曲選定種別と楽曲ＩＤとが紐付けされた楽曲選定データテーブルを備えており、出力制御手段の機能により、楽曲選定データテーブルを参照し、受信したデジタル音楽データの楽曲ＩＤに対応する楽曲選定種別の可搬型記録媒体が接続されている出力ポートがある場合には、当該出力ポートに対してデジタル音楽データを出力する。
【発明の効果】
【００１４】
本発明の配信デジタル音楽データ記録システムによれば、予め、各店舗に可搬型記録媒体を接続可能な再生装置を設置し、各可搬型記録媒体には、当該店舗の業種に応じて適切な雰囲気を作り出すことが可能な楽曲選定種別を設定しておくだけで、デジタル放送受信機の出力ポートに可搬型記録媒体を接続すると、当該可搬型記録媒体の楽曲選定種別に対応したデジタル音楽データが、自動的に選別されて当該出力ポートに出力される。
【００１５】
したがって、面倒な手間を要することなく、各店舗の業種に応じて適切な雰囲気を作り出すことが可能なデジタル音楽データを可搬型記録媒体に記録することができるので、通信設備の新設や増設を必要とせずに、効率よく適切なデジタル音楽データの配信を行うことが可能となる。
【図面の簡単な説明】
【００１６】
【図１】本発明の実施形態に係る配信デジタル音楽データ記録システムの構成を示す機能ブロック図。
【図２】楽曲選定データテーブルの構成を示す説明図。
【図３】デジタル音楽データの構成を示す説明図。
【図４】配信デジタル音楽データ記録システムにおける記録媒体識別処理のフローチャート。
【図５】配信デジタル音楽データ記録システムにおけるデジタル音楽データの受信出力処理のフローチャート。
【発明を実施するための形態】
【００１７】
以下、図面を参照して、本発明の配信デジタル音楽データ記録システムの実施形態を説明する。図１は本発明の実施形態に係る配信デジタル音楽データ記録システムの構成を示す機能ブロック図、図２は楽曲選定データテーブルの構成を示す説明図、図３はデジタル音楽データの構成を示す説明図、図４は記録媒体識別処理のフローチャート、図５は受信出力処理のフローチャートである。
【００１８】
＜配信デジタル音楽データ記録システムの概要＞
本発明の実施形態に係る配信デジタル音楽データ記録システムは、テナントビル等に入居している各種の店舗、オフィス、クリニック等に設置された再生装置を利用して、ＢＧＭやＢＧＶ等のデジタル音楽データを提供するためのシステムであり、ストリーム配信されるデジタル音楽データを受信し、予め設定された楽曲選定基準に従い、受信したデジタル音楽データを抽出して可搬型記録媒体に記録させることができるようになっている。
【００１９】
＜配信デジタル音楽データ記録システムの構成＞
本発明の実施形態に係る配信デジタル音楽データ記録システムは、図１に示すように、テナントビルの管理室等に設置されたデジタル放送受信機１０により構成されるシステムであり、複数の出力ポート１１ａ〜１１ｆと、受信手段１２と、楽曲ＩＤ取得手段１３と、接続記録媒体識別手段１４と、出力制御手段１５と、楽曲選定データテーブル１６と、を備えている。各手段は、ＣＰＵ、ＲＯＭ、ＲＡＭ等の機能を有するコンピュータがプログラムに従って動作すると共に、周辺機器の動作を制御することにより、その機能を発揮するようになっている。なお、本実施形態においてプログラムとは、ソフトウエア又はこれと同等の機能を発揮する論理回路のことをいう。また、図示しないが、本実施形態で利用するデジタル放送受信機１０は、上述した本発明に特有の機能手段の他に、ストリーム配信されるデジタル音楽データを受信するための周知の機能を備えている。
【００２０】
＜受信手段＞
受信手段１２は、ストリーム配信されるデジタル音楽データを受信するための手段であり、電子回路及びプログラムからなる。なお、デジタル音楽データのストリーム配信は、公衆電話回線、専用通信回線、インターネット回線、無線放送等、どのような方式で配信されるものであってもよい。この受信手段１２で受信するデジタル音楽データは、図３に示すように、楽曲毎にヘッダ部及びペイロード部を主要なデータ要素とするものであり、ヘッダ部に楽曲ＩＤデータが含まれており、ペイロード部に楽曲演奏データが含まれている。ここで、楽曲演奏データとは、演奏音等を発生させるＭＩＤＩ規格のデジタルデータであってもよいし、これに背景映像データや文字データを加えたものであってもよい。
【００２１】
＜楽曲ＩＤ取得手段＞
楽曲ＩＤ取得手段１３は、受信手段１２で受信したデジタル音楽データに含まれる楽曲ＩＤデータを取得するためのプログラムからなる。この楽曲ＩＤ取得手段１３の機能により、ストリーム配信されるデジタル音楽データのヘッダ部に含まれる楽曲ＩＤデータを取得する。取得した楽曲ＩＤデータは、デジタル音楽データの抽出に利用される。
【００２２】
＜接続記録媒体識別手段＞
接続記録媒体識別手段１４は、任意の出力ポート１１ａ〜１１ｆに接続された可搬型記録媒体２０の楽曲選定種別を識別するためのプログラムからなる。本実施形態の可搬型記録媒体２０には、当該可搬型記録媒体２０を用いて音楽再生を行う店舗の業種に応じて、適切な雰囲気を作り出すことが可能な楽曲選定種別データが記録されている。デジタル放送受信機１０の出力ポート１１ａ〜１１ｆに可搬型記録媒体２０が接続されると、接続記録媒体識別手段１４の機能により、可搬型記録媒体２０に記録された楽曲選定種別データが読み出されて識別される。
【００２３】
＜可搬型記録媒体＞
可搬型記録媒体２０とは、ＵＳＢメモリ、ＳＤカード、ＣＤ、ＤＶＤ、シリコンハードディスク等のように、所定容量のデータを記録して持ち運ぶことが可能な記録媒体のことであり、各店舗に設置された再生装置（図示せず）及びデジタル放送受信機１０のポートに接続することができれば、その種別は特に限定されるものではない。また、本発明で用いる可搬型記録媒体２０は、ポータブルプレイヤーのように、記録手段と再生手段の機能を併せ持っていてもよい。なお、本実施形態で用いる可搬型記録媒体２０は、複数楽曲のデジタル音楽データを記録することが可能な記憶容量を備えていることが好ましい。
【００２４】
＜楽曲選定種別＞
可搬型記録媒体２０に設定されている楽曲選定種別とは、従来のチャンネル別の楽曲選定で行われていたように、クラシック、ジャズ、演歌、ＪＰＯＰ等のジャンル別に区分したものではなく、例えば、アパレル店では活気のある楽曲の種別、クリニックでは患者の気持ちを鎮める楽曲の種別、美容院では爽やかな印象を与える楽曲の種別のことである。すなわち、本発明では、音楽ジャンルに拘ることなく、各業種の雰囲気にあった楽曲を選定するために楽曲選定種別が設定されている。この楽曲選定種別に基づいて、楽曲選定データテーブル１６が構築される。
【００２５】
＜楽曲選定データテーブル＞
楽曲選定データテーブル１６は、図２に示すように、楽曲選定種別と、複数の楽曲ＩＤとを紐付けして構成したデータテーブルである。本実施形態では、Ａ〜Ｇの８つの楽曲選定種別が設定されており、各楽曲選定種別は、それぞれ異なる業種に対応している。この楽曲選定データテーブル１６は、デジタル放送受信機１０を構成するＲＡＭやＨＤＤ等に記憶されている。
【００２６】
本実施形態では、図２に示すように、レストラン、アパレル、ホテル、銀行・証券、喫茶店、クリニック、雑貨店にそれぞれ対応して楽曲選定種別が設定されているが、楽曲選定種別はこれらに限られず、他の業種に対応するものであってもよいし、「海」、「山」、「虫」、「鳥」、「季節」等、どのようなテーマに対応したものであってもよい。この場合には、各店舗において、その業種にもっともふさわしいと思われるテーマの楽曲選定種別を選択し、当該楽曲選定種別が設定された可搬型記録媒体２０を使用すればよい。
【００２７】
＜出力制御手段＞
出力制御手段１５は、楽曲選定種別と楽曲ＩＤとが紐付けされた楽曲選定データテーブル１６を参照し、受信したデジタル音楽データの楽曲ＩＤに対応する楽曲選定種別の可搬型記録媒体２０が接続されている出力ポート（１１ａ〜１１ｆのいずれか）がある場合には、当該出力ポート（１１ａ〜１１ｆのいずれか）に対してデジタル音楽データを出力するためのプログラムからなる。この出力制御手段１５の機能により、各出力ポート１１ａ〜１１ｆに対して、接続された可搬型記録媒体２０の楽曲選定種別に対応したデジタル音楽データが出力され、可搬型記録媒体２０に当該デジタル音楽データが記録される。そして、デジタル音楽データが記録された可搬型記録媒体２０を、各店舗に設置された再生装置（図示せず）に装着することにより、各店舗の雰囲気にあった楽曲や映像が再生される。
【００２８】
図１に示す例では、出力ポート（１）１１ａに接続された可搬型記録媒体２０ａの楽曲選定種別は「Ａ」であるため、対応業種は「レストラン」であると識別され、楽曲選定データテーブル１６を参照して対応楽曲が出力される。同様に、出力ポート（２）１１ｂに接続された可搬型記録媒体２０ｂの楽曲選定種別は「Ｂ」であるため、対応業種は「アパレル」であると識別され、出力ポート（３）１１ｃに接続された可搬型記録媒体２０ｃの楽曲選定種別は「Ｃ」であるため、対応業種は「ホテル」であると識別され、出力ポート（４）１１ｄに接続された可搬型記録媒体２０ｄの楽曲選定種別は「Ｆ」であるため、対応業種は「クリニック」であると識別され、出力ポート（５）１１ｅに接続された可搬型記録媒体２０ｅの楽曲選定種別は「Ａ」であるため、対応業種は「レストラン」であると識別され、それぞれ楽曲選定データテーブル１６を参照して対応楽曲が出力される。また、図１に示す例では、出力ポート（６）１１ｆには、可搬型記録媒体２０が接続されていないため、このポートにはデジタル音楽データは出力されない。
【００２９】
＜記録媒体識別処理／デジタル音楽データの受信出力処理＞
次に、本発明の実施形態に係る配信デジタル音楽データ記録システムにおける制御処理について説明する。配信デジタル音楽データ記録システムにおける制御処理は、記録媒体識別処理と、デジタル音楽データの受信出力処理とからなる。
【００３０】
記録媒体識別処理では、図４に示すように、いずれかのポート１１ａ〜１１ｆに可搬型記録媒体２０が接続されると（Ｓ１１）、接続記録媒体識別手段１４の機能により、接続された可搬型記録媒体２０の楽曲選定種別を識別し（Ｓ１２）、出力ポートと楽曲選定種別とを対応付けて記憶する（Ｓ１３）。
【００３１】
また、デジタル音楽データの受信出力処理では、図５に示すように、受信手段１２の機能により、ストリーム配信されるデジタル音楽データを受信し（Ｓ２１）、楽曲ＩＤ取得手段１３の機能により、受信したデジタル音楽データに含まれる楽曲ＩＤを取得する（Ｓ２２）。続いて、出力制御手段１５の機能により、楽曲選定データテーブル１６を参照して、取得した楽曲ＩＤに対応する楽曲選定種別が対応付けられた出力ポート（１１ａ〜１１ｆのいずれか）が存在するか否かを判断する（Ｓ２３）。ここで、取得した楽曲ＩＤに対応する楽曲選定種別が対応付けられた出力ポート（１１ａ〜１１ｆのいずれか）が存在する場合には、当該出力ポート（１１ａ〜１１ｆのいずれか）に対して、デジタル音楽データを出力する（Ｓ２４）。
【００３２】
そして、各ポート１１ａ〜１１ｆにそれぞれ出力されたデジタル音楽データは、接続された可搬型記録媒体２０に記録され、この可搬型記録媒体２０を装着した再生装置により、デジタル音楽データが再生されて、ＢＧＭやＢＧＶとして提供される。
【符号の説明】
【００３３】
１０  デジタル放送受信機
１１（１１ａ〜１１ｆ）  出力ポート
１２  受信手段
１３  楽曲ＩＤ取得手段
１４  接続記録媒体識別手段
１５  出力制御手段
１６  楽曲選定データテーブル
２０（２０ａ〜２０ｅ）  可搬型記録媒体
【図１】
2012032675.tif 000003
【図２】
2012032675.tif 000004
【図３】
2012032675.tif 000005
【図４】
2012032675.tif 000006
【図５】
2012032675.tif 000007